(57)【要約】【課題】環境改善のための技術を提供すること。【解決手段】重金属を含む土壌において、ＮＯX  １０〜２００ｐｐｂの環境下に植物を生育させることを特徴とする、土壌中の重金属の除去又は低減方法、並びに重金属を含む土壌において、ＮＯX  １０〜２００ｐｐｂの環境下に植物を生育させ、それにより、重金属が除去又は低減された土壌を得ることを特徴とする、重金属が除去又は低減された土壌の生産方法。【選択図】なし【特許請求の範囲】
【請求項１】
重金属を含む土壌において、ＮＯX  １０〜２００ｐｐｂの環境下に植物を生育させることを特徴とする、土壌中の重金属の除去又は低減方法。
【請求項２】
該植物が、シロイヌナズナ、タバコ、イネ、ケナフ及びエンドウマメからなる群より選ばれた植物である、請求項１記載の土壌中の重金属の除去又は低減方法。
【請求項３】
該重金属が、カドミウム、鉛、クロム、亜鉛及び銅からなる群より選ばれた少なくとも１種である、請求項１又は２記載の土壌中の重金属の除去又は低減方法。
【請求項４】
重金属を含む土壌において、ＮＯX  １０〜２００ｐｐｂの環境下に植物を生育させ、それにより、重金属が除去又は低減された土壌を得ることを特徴とする、重金属が除去又は低減された土壌の生産方法。
【発明の詳細な説明】
【技術分野】
【０００１】
本発明は、環境改善への植物の応用技術に関する。さらに詳しくは、本発明は、土壌中の重金属の除去又は低減方法に関する。
【背景技術】
【０００２】
現在、重金属等による土壌、地下水等の汚染等に代表される環境汚染が問題となっている。
【０００３】
重金属等による土壌等の汚染に対する環境修復技術として、例えば、植物による浄化方法（例えば、特許文献１及び２を参照のこと）が報告されている。
【０００４】
しかしながら、前記特許文献１に記載の浄化方法は、植物を、特定の播種量又は定植量で植栽することにより行なわれているため、土壌の地形等により適用が困難であり、また、植物が植栽された環境条件は天候などに依存するため、制御が困難であるという欠点がある。
【０００５】
また、前記特許文献２に記載の浄化方法は、カドミウムの吸収能に優れたアオイ科フヨウ属に属する植物を用いて行なわれているため、気候や地域等により適用が困難であり、制御が困難であるという欠点がある。
【特許文献１】特開２００１−２７６８００号公報
【特許文献２】特開２００２−３３１２８１号公報
【発明の開示】
【発明が解決しようとする課題】
【０００６】
本発明は、植物により、土壌中の重金属の除去又は低減を効率よく行なうこと、ＮＯX非存在下又は低存在下（例えば、＜５ｐｐｂ）に比べ、重金属の除去又は吸収をより効率よく行なうこと、周辺環境に対して低影響下で重金属を除去又は低減すること、重金属で汚染された土壌や重金属を含む土壌等の土壌改質を行なうこと等の少なくとも１つを達成しうる、土壌中の重金属の除去又は低減方法を提供することを１つの目的とする。
【０００７】
また、本発明は、重金属で汚染された土壌や重金属を含む土壌等の土壌改質を行なうこと、周辺環境に対して低影響下で重金属が除去又は低減された土壌を作製すること、重金属が除去又は低減された土壌を、簡便に作製すること、重金属が除去又は低減された土壌を、効率よく作製すること等の少なくとも１つを達成しうる、重金属が除去又は低減された土壌の生産方法を提供することを目的とする。
【課題を解決するための手段】
【０００８】
すなわち、本発明の要旨は、
〔１〕  重金属を含む土壌において、ＮＯX  １０〜２００ｐｐｂの環境下に植物を生育させることを特徴とする、土壌中の重金属の除去又は低減方法、
〔２〕  該植物が、シロイヌナズナ、タバコ、イネ、ケナフ及びエンドウマメからなる群より選ばれた植物である、前記〔１〕記載の土壌中の重金属の除去又は低減方法、
〔３〕  該重金属が、カドミウム、鉛、クロム、亜鉛及び銅からなる群より選ばれた少なくとも１種である、前記〔１〕又は〔２〕記載の土壌中の重金属の除去又は低減方法、並びに
〔４〕  重金属を含む土壌において、ＮＯX  １０〜２００ｐｐｂの環境下に植物を生育させ、それにより、重金属が除去又は低減された土壌を得ることを特徴とする、重金属が除去又は低減された土壌の生産方法、
に関する。
【発明の効果】
【０００９】
本発明の土壌中の重金属の除去又は低減方法によれば、植物による土壌中の重金属の除去又は低減を効率よく行なうことができるという優れた効果を奏する。また、本発明の土壌中の重金属の除去又は低減方法によれば、特に、ＮＯX非存在下又は低存在下（例えば、＜５ｐｐｂ）に比べ、重金属の除去又は吸収をより効率よく行なうことができるという優れた効果を奏する。さらに、本発明の土壌中の重金属の除去又は低減方法によれば、周辺環境に対して低影響下で重金属を除去又は低減することができるという優れた効果を奏する。また、本発明の土壌中の重金属の除去又は低減方法によれば、重金属で汚染された土壌や重金属を含む土壌等の土壌改質を行なうことができるという優れた効果を奏する。さらに、本発明の土壌中の重金属の除去又は低減方法によれば、種々の地形における重金属で汚染された土壌に対して適用することができるという優れた効果を奏する。また、本発明の土壌中の重金属の除去又は低減方法は、広範な植物に適用可能であり、処理を必要とする土地の地形、気候等に合う作物や植物における重金属除去能又は重金属低減能を促進することができる。
【００１０】
本発明の重金属が除去又は低減された土壌の生産方法によれば、重金属が除去又は低減された土壌を、周辺環境に対して低影響下で作製することができるという優れた効果を奏する。さらに、本発明の重金属が除去又は低減された土壌の生産方法によれば、重金属が除去又は低減された土壌を、簡便に、作製することができるという優れた効果を奏する。また、本発明の重金属が除去又は低減された土壌の生産方法によれば、重金属が除去又は低減された土壌を効率よく作製することができ、ガス状物質を用いることにより、土壌や水に残留することが極めて少ないという優れた効果を奏する。
【発明を実施するための最良の形態】
【００１１】
本発明は、ＮＯXが、植物の生育に関連するシグナルとして働き、重金属の吸収を高めるという本発明者らの驚くべき知見に基づく。
【００１２】
本発明の１つの側面は、重金属を含む土壌上で、一定濃度のＮＯXの環境下に植物を生育させることを特徴とする、土壌中の重金属の除去又は低減方法に関する。
【００１３】
本発明の重金属の除去又は低減方法においては、植物を用い、かつ該植物の生育を、一定濃度のＮＯXの環境下に行なっているため、植物による重金属の吸収が促進され、それにより、土壌中の重金属を効率よく除去又は低減させることができる。
【００１４】
また、本発明の重金属の除去又は低減方法においては、植物を用いているため、より少ない環境負荷で行なうこと、すなわち、周辺環境への影響を抑制することもできる。
【００１５】
さらに、本発明の重金属の除去又は低減方法においては、植物を用い、かつ該植物の生育を、一定濃度のＮＯXの環境下に行なっているため、本発明の重金属の除去又は低減方法は、地形等に応じて、実施形態を適合させて、実施できるという優れた効果を発揮する。
【００１６】
本発明において、ＮＯXの濃度は、用いられる植物の種類、大きさ等に応じて適宜設定されうるが、植物の生育を維持し、該植物による重金属の吸収、土壌中の重金属の除去又は低減の効果を十分に発揮させる観点から、１０〜２００ｐｐｂ、好ましくは、５０〜２００ｐｐｂ、より好ましくは、１００〜２００ｐｐｂである。本発明の重金属の除去又は低減方法は、ＮＯXの濃度を前記範囲に調整しているため、ＮＯX非存在下又は極低レベル（例えば、＜５ｐｐｂ）のＮＯXの存在下に比べ、驚くべく、土壌中の重金属を、より効率よく除去又は低減することができるという優れた効果を発揮する。
【００１７】
本発明の重金属の除去又は低減方法の１つの実施態様では、重金属を含む土壌において、ＮＯX  １０〜２００ｐｐｂの環境下に植物を生育させることを特徴とする方法が挙げられる。
【００１８】
本発明の重金属の除去又は低減方法に用いられる植物としては、例えば、アブラナ科、イネ科、アオイ科、ナス科、キク科等が挙げられる。具体的には、前記植物としては、シロイヌナズナ、タバコ、イネ、ケナフ、エンドウマメ、ヒマワリ、カラシナ、小麦、大麦等が挙げられる。例えば、水田土壌汚染修復の観点からは、好ましくは、イネ等のイネ科植物（小麦、大麦等）を用いることが有利である。
【００１９】
本発明の重金属の除去又は低減方法においては、適切な時期に、播種して生育させた植物をそのまま用いてもよく、予め生育させた苗、植物体等を移植して用いてもよく、従前より土壌上に存在する植物をそのまま用いてもよい。
【００２０】
本明細書において、「重金属を含む土壌」の概念には、特に限定されないが、例えば、重金属を、０．０１〜１００００ｐｐｍの濃度で含む土壌等が含まれる。
【００２１】
前記重金属としては、特に限定されないが、例えば、カドミウム、鉛、クロム、亜鉛、銅等が挙げられる。
【００２２】
なお、重金属を除去又は低減させる効果を十分に発揮させる観点から、好ましくは、前記重金属は、イオンの状態であることが望ましい。
【００２３】
一定濃度のＮＯXの環境は、例えば、重金属を含む土壌に植物を植栽し、土壌に植栽された植物が大気環境と接触する部分、すなわち、植物体の地上部を一定濃度のＮＯXとなるように維持すること等によりつくることができる。具体的には、一定濃度のＮＯXの環境は、植物体の地上部を含む環境を外気から遮断しうる手段、例えば、温室、ビニルハウス等の内部に配置し、内部を一定濃度のＮＯXとなるように維持すること等によりつくることができる。なお、本発明においては、大気環境が、上記ＮＯX濃度範囲である場合、重金属を含む土壌に、植物を植栽し、そのまま栽培すればよい。かかるＮＯX濃度の維持は、例えば、下記（１）〜（３）：
（１）ＮＯXボンベ、灯油等の燃焼、エンジン等によるＮＯX発生手段と
（２）ＮＯXの除去手段と
（３）該（１）と（２）とを制御することにより所定のＮＯX濃度に調整する制御手段と
の組み合わせ等により行なわれうる。
【００２４】
前記除去手段としては、例えば、図３に示される装置等が挙げられる。ここで、図３に示される装置においては、前記ＮＯXボンベ、灯油等の燃焼、エンジン等から発生したＮＯX（ＮＯ2、ＮＯ）を含有したガスを、ファンモーター１から取り込み、ついで、酸化剤を含有したキャニスター２（例えば、過マンガン酸カリウム等を含有したキャニスター）に通して、ガス中のＮＯをＮＯ2に変換し、その後、ＮＯ2を活性炭カラム３にとおして、活性炭に吸着させ、ＮＯX（ＮＯ2、ＮＯ）が除去された空気が該活性炭カラム３の存在する空気供給孔から供給される。なお、前記活性炭カラム３における活性炭は、空気供給孔の孔径よりも大きい粒径を有する粒状の活性炭であることが望ましい。
【００２５】
なお、本発明の重金属の除去又は低減方法においては、ＮＯXの濃度以外の生育条件は、植物に応じて、適宜設定され得、植物の通常の生育条件と同様であればよい。例えば、植物の種類により適宜設定されうる。また、本発明の重金属の除去又は低減方法においては、必要に応じて、堆肥の供給、農薬の供給等を行なってもよい。
【００２６】
また、本発明の重金属の除去又は低減方法によれば、土壌中の重金属は、植物、特に、地上部（葉、茎等）に吸収される。したがって、本発明の重金属の除去又は低減方法に用いられた植物から、適切な方法により、重金属を回収することもできる。すなわち、本発明の重金属の除去又は低減方法は、１つの側面では、植物によるリーチング手段への応用も含まれる。
【００２７】
重金属の回収方法としては、特に限定されないが、植物体の地上部を刈り取り、あるいは、植物体を土から引抜き、得られた植物体の地上部又は植物体を乾燥させ、得られた産物から、例えば、０．１Ｎ  ＨＣｌ又は０．１Ｎ  ＨＮＯ3により重金属を抽出すること、超音波破砕装置によるリーチング、焼却法を用いた重金属の回収法等により、重金属を回収する方法等が挙げられる。
【００２８】
また、本発明の重金属の除去又は低減方法によれば、周辺環境への重金属の漏出等を防ぐことができる。
【００２９】
本発明の他の側面は、重金属を含む土壌上で、一定濃度のＮＯXの環境下に植物を生育させることを特徴とする、重金属が除去又は低減された土壌の生産方法に関する。
【００３０】
本発明の重金属が除去又は低減された土壌の生産方法によれば、植物を用い、かつ該植物の生育を、一定濃度のＮＯXの環境下に行なっているため、植物による重金属の吸収が促進され、それにより、重金属が除去又は低減された土壌を、周辺環境に対して低影響下で効率よく作製することができるという優れた効果を発揮する。
【００３１】
さらに、本発明の重金属が除去又は低減された土壌の生産方法によれば、植物を用いているため、重金属が除去又は低減された土壌を、簡便に、作製することができる。
【００３２】
本発明の土壌の生産方法において、重金属を含む土壌、用いられる植物及びＮＯXの濃度は、前記土壌中の重金属の除去又は低減方法の場合と同様である。
【００３３】
本発明の重金属が除去又は低減された土壌の生産方法において、一定濃度のＮＯXの環境は、前記重金属の除去又は低減方法の場合と同様に、例えば、重金属を含む土壌に植物を植栽し、土壌に植栽された植物の地上部の環境を、一定濃度のＮＯXとなるように維持すること等によりつくることができる。具体的には、一定濃度のＮＯXの環境は、植物体の地上部を、外気から遮断しうる手段、例えば、温室等の内部に配置し、内部を一定濃度のＮＯXとなるように維持すること等によりつくることができる。
【００３４】
なお、ＮＯXの濃度以外の生育条件は、植物に応じて、適宜設定され得、植物の通常の生育条件と同様であればよい。例えば、植物の種類により適宜設定することができる。また、必要に応じて、堆肥の供給、農薬の供給等を行なってもよい。
【００３５】
本発明の重金属が除去又は低減された土壌の生産方法においては、適切な時期に、播種して生育させた植物をそのまま用いてもよく、予め生育させた苗、植物体等を移植して用いてもよい。例えば、植物の生育は、予め、重金属を含む土壌を植物の生育に適した条件を設定できる施設に集め、集められた土壌に植物を植栽し、一定濃度のＮＯXの環境下に該植物を生育させること等により行なわれうる。
【００３６】
以下、本発明を実施例等により詳細に説明するが、本発明は、かかる実施例等により、何ら限定されるものではない。
【実施例１】
【００３７】
植物として、ニコチアナ  プルムバギニフォリア（Ｎｉｃｏｔｉａｎａ  ｐｌｕｍｂａｇｉｎｉｆｏｌｉａ）を、バーミキュライト及びパーライト（１：１、ｖ／ｖ）が入ったプラスチックポットに植え、３週齢の若木を、制御された温室に備えられた曝露チャンバーの内側又は外側に置いた。
【００３８】
流速４ｍ3／分で新鮮な空気を外から温室に取り込み、温室内の空気を、活性炭が入ったカラムを通して濾過した。新鮮な空気を、流速１リットル／分で曝露チャンバーに導入した。15Ｎ-標識ＮＯ2（５１．６原子％  15Ｎ）、２００±２０ｐｐｂを曝露チャンバーの気相（１０〜２０ｐｐｂ  ＮＯが存在する）に入れたが、温室のチャンバーの外側のＮＯX濃度は、＜５ｐｐｂであった。
【００３９】
チャンバー内側及び外側のＣＯ2及びＯ3の濃度を、それぞれ、３４０±８０ｐｐｍ及び＜５ｐｐｂに保った。植物を、１０ｍＭ  硝酸カリウムを含むコイックとレセイントとの培地（６）で４日毎に補い、自然光の下、２２±０．３℃、７０±４％の相対湿度で１０週間生育させた。
【００４０】
栽培終了後、植物を回収し、茎の長さ、根の長さ、新鮮重量及び葉面積を測定し、凍結乾燥させた。その後、茎葉及び根の乾燥重量、元素及び全アミノ酸及び粗タンパク質量を測定した。
【００４１】
また、全窒素、ＮＯX由来窒素及び炭素を、タカハシ（Ｍ．Ｔａｋａｈａｓｈｉ）ら〔Ｐｌａｎｔ  Ｐｈｙｓｉｏｌ．、１２６、７３１（２００１）〕に従い、マススペクトロメトリーにより解析した。具体的には、乾燥植物組織（地上部及び根を破砕後、ケルダール分解し、ケルダール窒素中の重窒素量（15Ｎ）と軽窒素（14Ｎ）の比から、ＮＯX由来の窒素量を求め、他方、独立して求めた乾燥植物組織に含まれる全窒素（15Ｎ＋14Ｎ）量を求め、かかるＮＯX由来の窒素量を全窒素（15Ｎ＋14Ｎ）量で除して求めた。
【００４２】
粗タンパク質含有量を、前記タカハシ（Ｍ．Ｔａｋａｈａｓｈｉ）ら〔Ｐｌａｎｔ  Ｐｈｙｓｉｏｌ．、１２６、７３１（２００１）〕のように、還元窒素基づくマススペクトロメトリーにより測定した。具体的には、乾燥植物組織のケルダール窒素量に６．２５を乗じて求めた。
【００４３】
全リン、カリウム、カルシウム及びマグネシウムを、ロデュシュキン（Ｉ．Ｒｏｄｕｓｈｋｉｎ）ら〔Ａｎａｌ．Ｃｈｉｍ．Ａｃｔａ、３７８，１９１（１９９９）〕のように、共役プラズマ原子発光分析により解析した。
【００４４】
具体的には、乾燥植物組織を粗砕して、テフロン(登録商標）ビーカーに移し、得られた産物  ０．５ｇに、６８％（ｗ／ｖ）  濃硝酸  １０ｍｌと、３０％（ｗ／ｖ）  過酸化水素水  ２ｍｌとを添加し、得られた混合物を２００〜２２０℃で６０分間加熱し、さらに６８％（ｗ／ｖ）  濃硝酸  １０ｍｌと、３０％（ｗ／ｖ）  過酸化水素水  ２ｍｌとを添加し、得られた混合物を２００〜２２０℃で４０〜５０分間加熱し、加熱分解を行なった。なお、かかる加熱分解の操作を２〜３回行なった。得られた産物を５０ｍｌに定容し、得られた産物をＩＣＰ発光分光装置で分析した。
【００４５】
また、全遊離アミノ酸を、イガラシ（Ｄ．Ｉｇａｒａｓｈｉ）ら〔Ｐｌａｎｔ  Ｊ．、３３、９７５−９８７（２００３）〕に従い、エタノールで抽出し、解析した。
【００４６】
また、ニコチアナ  プルムバギニフォリア（Ｎｉｃｏｔｉａｎａ  ｐｌｕｍｂａｇｉｎｉｆｏｌｉａ）を、２００ｐｐｂのＮＯXの汚染空気中及び５ｐｐｂ未満のＮＯXの清浄空気中のそれぞれで、自然光下、１０週間生育させた。なお、他の条件は、前記と同様にした。結果を図２に示す。
【００４７】
その結果、図１のパネルＡに示されるように、意外なことに、汚染空気中で栽培された植物のバイオマスは、清浄空気中で栽培された植物のほぼ２倍であった。また、図１のパネルＡに示されるように、ＮＯX曝露によるバイオマスの増加は、植物あたりの調べられた全主要元素、炭素、窒素、リン、カリウム、カルシウム及びマグネシウムの組成の非常に類似した増加又はより大きな増加を伴っていた。興味深いことに、ＮＯX曝露は、植物あたりの全遊離アミノ酸及び粗タンパク質の含有量を同程度に増加させた。
【００４８】
図２に示されるように、ＮＯX曝露された植物は、非曝露植物の類似の外観の１．７倍程度であり、環境レベルの大気のＮＯXが、植物を「活性化」し、炭素固定、窒素同化、アミノ酸及びタンパク質の合成並びに全主要元素の取り込みは、全て、ＮＯX曝露で刺激されたという点で植物に有益であることがわかった。
【００４９】
さらに、図１のパネルＢに示されるように、アイソトープマススペクトル解析〔４〕は、ＮＯX由来窒素は、茎葉及び根における全窒素の３％未満であった。
【００５０】
したがって、環境レベルのＮＯXは、（長期曝露後でさえ）Ｎ源として、極わずかに寄与するにすぎない。かかる知見により、環境レベルの大気ＮＯXは、有害因子又はＮ源ではなく、植物活性化シグナルとして働くことが示される。
【実施例２】
【００５１】
植物として、３５×２６ｃｍのパットに播種して生育させたケナフを、大きさ：直径９．５ｃｍのポット中パーライトとバーミキュライトとの混合物〔パーライト：バーミキュライト＝１：１（Ｖ／Ｖ）〕  ５０ｇに対し、１００ｍｌの１／１０００容量のハイポネックス〔(株)ハイポネックスジャパン社製〕を与えた土壌に播種後１１日目に、ポット当たり  １株ずつ移植した。
【００５２】
１００ｐｐｂのＮＯX存在下又は非存在下、移植後６日目（播種後１７日目）のケナフに、１週間に２回、パーライトとバーミキュライトとの混合物〔パーライト：バーミキュライト＝１：１（Ｖ／Ｖ）〕  ５０ｇに対して１／１０００容量のハイポネックスに溶解した２０μＭ  カドミウム溶液  ５０ｍｌ／ポットを１０日間供給し、栽培を行なった。
【００５３】
その後、植物体を回収し、超純水で洗浄した。
【００５４】
洗浄後の植物体を、葉部、幹部及び根部それぞれに分け、凍結乾燥機で４８時間維持して乾燥させた。得られた乾燥葉部、乾燥幹部及び乾燥根部それぞれの乾燥重量を測定した。
【００５５】
ついで、得られた乾燥葉部、乾燥幹部及び乾燥根部それぞれに、硝酸と過塩素酸とを添加して加熱分解した。得られた各試料について、原子吸光法により、カドミウム量を測定した。３回の測定の平均値の結果を下記表１に示す。
【００５６】
【表１】
2005230787.tif 000002
【００５７】
表１に示されるように、１０日間の栽培期間であるにもかかわらず、ＮＯX存在下におけるカドミウム吸収能は、ＮＯX非存在下におけるカドミウム吸収能に比べ、幹部において、ｐ＜０．０５、根部において、Ｐ＜０．１で有意に増加した。
【００５８】
したがって、これらの結果より、カドミウム等の重金属を含む土壌において、ＮＯX存在下に、植物を生育させることにより、植物による重金属の吸収能を向上させ、ひいては、土壌中に含まれる重金属の除去又は低減の効率を向上させることができることが示唆される。すなわち、カドミウム等の重金属を含む土壌において、ＮＯX存在下に、植物を生育させることにより、土壌中に含まれる重金属の除去又は低減をより効率よく行なうことができることが示唆される。
【実施例３】
【００５９】
重金属を含有した土壌上に、植物を植え、ＮＯX存在下に栽培する。
【００６０】
栽培後、植物体を除去し、土壌中の重金属を、原子吸光分析法、発光分析法により測定する。
【００６１】
その結果、植物の栽培前に比べ、栽培後において、土壌中に含まれる重金属の含有量が低減する。また、ＮＯX存在下に栽培した場合の土壌は、ＮＯX非存在下に栽培した場合の土壌に比べ、有意に重金属含有量が低減する。
【実施例４】
【００６２】
前記実施例３で除去された植物体を水で洗浄し、ついで、乾燥させる。
【００６３】
得られた乾燥植物体を、硝酸若しくは硝酸と過酸化水素との混合物による加水分解、０．１Ｎ  塩酸、０．１Ｎ  硝酸での可溶化、又は超音波破砕法により、植物体に含まれる重金属含有化合物を回収する。
【産業上の利用可能性】
【００６４】
本発明によれば、植物による環境汚染の修復を行なうことができ、また、汚染土壌を改質することができる。さらに、本発明によれば、土壌中の重金属のリーチングへの応用も可能である。
【図面の簡単な説明】
【００６５】
【図１】図１は、茎葉あたりのバイオマス収量、元素組成（全Ｎ、Ｃ、Ｐ、Ｋ、Ｃａ及びＭｇ）並びに代謝産物（全遊離アミノ酸及び粗タンパク質）（Ａ）及び茎葉及び根における窒素の等方性組成（Ｂ）を示す。パネル（Ａ）において、黒カラム及び白カラムは、それぞれ、ＮＯX-曝露植物及び非曝露植物に対応する。非曝露植物の各値を１００として、６連（バイオマス）又は３連（他のデータ）の平均の相対値を示す。バーは、標準偏差を示す。非曝露植物の茎葉あたりの絶対値は、以下の通りである：バイオマス（１．０４±０．０９ｇ）、Ｃ（３８２±５ｍｇ）、Ｎ（３２．６±２．０ｍｇ）、Ｐ（２．５±０．４ｍｇ）、Ｋ（６９．０±７．８ｍｇ）、Ｃａ（２４．２±５．２ｍｇ）、Ｍｇ（３．４３±０．６２ｍｇ）、全アミノ酸（１８１±９μｍｏｌ）及び粗タンパク質（１８１±５ｍｇ）。パネル（Ｂ）は、ＮＯX-曝露植物における全窒素の硝酸性窒素の割合（黒カラム）及びＮＯX性窒素の割合（白カラム）を示す。これらの値は、３連の平均±標準偏差である。
【００６６】
【図２】図２は、２００ｐｐｂのＮＯXの汚染空気中及び５ｐｐｂ未満のＮＯXの清浄空気中のそれぞれで、自然光下、１０週間生育させた植物を示す。図中、左パネルが、２００ｐｐｂのＮＯXの汚染空気の場合、右パネルは、５ｐｐｂ未満のＮＯXの清浄空気の場合を示す。
【００６７】
【図３】図３は、ＮＯXの除去手段を示す図である。図中、点線の矢印は、空気の流れを示す。図３に示される装置においては、前記ＮＯXボンベ、灯油等の燃焼、エンジン等から発生したＮＯX（ＮＯ2、ＮＯ）を含有したガスを、ファンモーター１から取り込み、ついで、酸化剤を含有したキャニスター２（例えば、過マンガン酸カリウム等を含有したキャニスター）に通して、ガス中のＮＯをＮＯ2に変換し、その後、ＮＯ2を活性炭カラム３にとおして、活性炭に吸着させ、ＮＯX（ＮＯ2、ＮＯ）が除去された空気が該活性炭カラム３の存在する空気供給孔から供給される。
【符号の説明】
【００６８】
１    ファンモーター
２    キャニスター
３    活性炭カラム
【図１】
2005230787.tif 000003
【図２】
2005230787.tif 000004
【図３】
2005230787.tif 000005